(57)【要約】      （修正有）【課題】様々な撮影環境に対応して、被写体の照明状態を適正化する。【解決手段】撮像装置１は、照射光をスポット光及び拡散光間で切り替え可能なライト４１Ａ及び４１Ｂを備える。撮影領域内に人物が存在していない場合には、撮影領域の明るさに応じて１つ又は２つのライトに拡散光を出射させる（或いは、ライト４１Ａ及び４１Ｂの何れにも照射光を出射させない）。撮影領域内に人物が存在している場合、一方のライトに拡散光を出射させる一方で、他方のライトにスポット光を出射させて人物を照らす。但し、撮影モードが人物優先撮影モードである場合には、当該人物をライト４１Ａ及び４１Ｂのスポット光にて照らす。撮影領域内に２人の人物が存在している場合、各々の人物をライト４１Ａ及び４１Ｂのスポット光にて照らす。【選択図】図９
2012247527.tif 000002
【特許請求の範囲】
【請求項１】
撮影により撮影領域の画像信号を取得する撮像装置において、
前記撮影領域を照らすための照射光を出射する発光素子であって、且つ、第１照射範囲を有する狭範囲光と第１照射範囲よりも広い第２照射範囲を有する広範囲光との間で前記照射光を切り替え可能な発光素子を、複数個有する発光部と、
前記発光部を制御する発光制御部と、を備え、
前記発光制御部は、前記撮影領域内の被写体に応じて、前記発光素子ごとに前記発光素子の照射光を前記狭範囲光及び前記広範囲光間で切り替える
ことを特徴とする撮像装置。
【請求項２】
前記発光制御部は、前記撮影領域内に特定種類の被写体が存在しているか否かに応じて、又は、前記撮影領域内の前記特定種類の被写体の数に応じて、前記発光素子ごとに前記発光素子の照射光を前記狭範囲光及び前記広範囲光間で切り替える
ことを特徴とする請求項１に記載の撮像装置。
【請求項３】
前記発光部は、各発光素子の照射光の方向を変更させるための照射光方向変更部を更に有し、
前記発光制御部は、前記撮影領域内に前記特定種類の被写体が存在している場合、前記複数の発光素子の内の１以上の発光素子の照射光が前記狭範囲光として前記特定種類の被写体に照射されるように前記照射光方向変更部を制御する
ことを特徴とする請求項２に記載の撮像装置。
【請求項４】
前記発光制御部は、前記撮影領域内の被写体に応じて、前記複数の発光素子の照射光の組み合わせを制御する
ことを特徴とする請求項１〜請求項３の何れかに記載の撮像装置。
【請求項５】
前記発光制御部は、前記画像信号に含まれる色信号に応じて、各発光素子の照射光の色を制御する
ことを特徴とする請求項１〜請求項４の何れかに記載の撮像装置。
【請求項６】
前記発光制御部は、前記画像信号に含まれる色信号に応じて、各発光素子の照射光の色及び強度を制御する
ことを特徴とする請求項１〜請求項４の何れかに記載の撮像装置。
【請求項７】
撮影により撮影領域の画像信号を取得する撮像装置において、
前記撮影領域を照らすための照射光を出射する発光素子であって、且つ、第１照射範囲を有する狭範囲光と第１照射範囲よりも広い第２照射範囲を有する広範囲光との間で前記照射光を切り替え可能な発光素子を有する発光部と、
前記発光部を制御する発光制御部と、を備え、
前記発光制御部は、前記撮影領域内に特定種類の被写体が存在しているか否かに応じて、又は、前記撮影領域内の前記特定種類の被写体の位置に応じて、前記発光素子の照射光を前記狭範囲光及び前記広範囲光間で切り替える
ことを特徴とする撮像装置。
【請求項８】
撮影により撮影領域の画像信号を取得する撮像装置において、
前記撮影領域を照らすための照射光を出射する発光素子、及び、前記発光素子の照射光の方向を変更させるための照射光方向変更部を有する発光部と、
前記発光部を制御する発光制御部と、を備え、
前記発光制御部は、前記発光素子の照射光が前記撮影領域内の特定種類の被写体に照射されるように前記照射光方向変更部を制御する
ことを特徴とする撮像装置。
【請求項９】
撮影により撮影領域の画像信号を取得する撮像装置において、
前記撮影領域を照らすための照射光を出射する発光素子を有する発光部と、
前記発光部を制御する発光制御部と、を備え、
前記発光制御部は、前記画像信号に含まれる色信号に応じて、前記発光素子の照射光の色を制御する
ことを特徴とする撮像装置。
【発明の詳細な説明】
【技術分野】
【０００１】
本発明は、デジタルカメラ等の撮像装置に関する。
【背景技術】
【０００２】
被写体を低照度又は逆光の環境下で撮影する場合、フラッシュ光（ストロボ光）にて被写体を照らす方法がとられる。
【０００３】
被写体を照らす方法の内、第１従来方法では、通常撮影時には拡散光を出射する一方で接写撮影時にはスポット光を出射している（例えば、下記特許文献１参照）。また、第２従来方法では、プリ発光によって画角内に主被写体がいるか否かを判断し、主被写体がいると判断した場合、主被写体の位置にストロボ光が達するようにストロボ光の発光量を調整している（例えば、下記特許文献２参照）。
【先行技術文献】
【特許文献】
【０００４】
【特許文献１】特開２００６−１１５１０７号公報
【特許文献２】特開２００９−６０４７１号公報
【発明の概要】
【発明が解決しようとする課題】
【０００５】
第１及び第２従来方法は、照明状態を適切なものにしようとする方法であるが、何れも、特定の条件下でしか有益に機能しない。撮影環境は様々であるため、様々な撮影環境に対応して適切な照明状態を実現することのできる方法が切望される。
【０００６】
そこで本発明は、適切な照明状態の実現に寄与する撮像装置を提供することを目的とする。
【課題を解決するための手段】
【０００７】
本発明に係る第１の撮像装置は、撮影により撮影領域の画像信号を取得する撮像装置において、前記撮影領域を照らすための照射光を出射する発光素子であって、且つ、第１照射範囲を有する狭範囲光と第１照射範囲よりも広い第２照射範囲を有する広範囲光との間で前記照射光を切り替え可能な発光素子を、複数個有する発光部と、前記発光部を制御する発光制御部と、を備え、前記発光制御部は、前記撮影領域内の被写体に応じて、前記発光素子ごとに前記発光素子の照射光を前記狭範囲光及び前記広範囲光間で切り替えることを特徴とする。
【０００８】
発光素子を複数個設けておき、撮影領域内の被写体に応じて、発光素子ごとに発光素子の照射光を狭範囲光及び広範囲光間で切り替えることにより、様々な撮影環境（被写体）に対応して適切な照明状態を実現することが可能となる。
【０００９】
具体的には例えば、第１の撮像装置において、前記発光制御部は、前記撮影領域内に特定種類の被写体が存在しているか否かに応じて、又は、前記撮影領域内の前記特定種類の被写体の数に応じて、前記発光素子ごとに前記発光素子の照射光を前記狭範囲光及び前記広範囲光間で切り替えてもよい。
【００１０】
更に例えば、第１の撮像装置において、前記発光部は、各発光素子の照射光の方向を変更させるための照射光方向変更部を更に有し、前記発光制御部は、前記撮影領域内に前記特定種類の被写体が存在している場合、前記複数の発光素子の内の１以上の発光素子の照射光が前記狭範囲光として前記特定種類の被写体に照射されるように前記照射光方向変更部を制御してもよい。
【００１１】
これにより、特定種類の被写体に対する照明状態の適正化が期待される。
【００１２】
また例えば、第１の撮像装置において、前記発光制御部は、前記撮影領域内の被写体に応じて、前記複数の発光素子の照射光の組み合わせを制御しても良い。
【００１３】
また例えば、第１の撮像装置において、前記発光制御部は、前記画像信号に含まれる色信号に応じて、各発光素子の照射光の色を制御しても良い。
【００１４】
これにより、色バランスのとれた照明状態の実現が期待される。
【００１５】
また例えば、第１の撮像装置において、前記発光制御部は、前記画像信号に含まれる色信号に応じて、各発光素子の照射光の色及び強度を制御しても良い。
【００１６】
本発明に係る第２の撮像装置は、撮影により撮影領域の画像信号を取得する撮像装置において、前記撮影領域を照らすための照射光を出射する発光素子であって、且つ、第１照射範囲を有する狭範囲光と第１照射範囲よりも広い第２照射範囲を有する広範囲光との間で前記照射光を切り替え可能な発光素子を有する発光部と、前記発光部を制御する発光制御部と、を備え、前記発光制御部は、前記撮影領域内に特定種類の被写体が存在しているか否かに応じて、又は、前記撮影領域内の前記特定種類の被写体の位置に応じて、前記発光素子の照射光を前記狭範囲光及び前記広範囲光間で切り替えることを特徴とする。
【００１７】
これにより、特定種類の被写体に対する照明状態の適正化が期待される。
【００１８】
本発明に係る第３の撮像装置は、撮影により撮影領域の画像信号を取得する撮像装置において、前記撮影領域を照らすための照射光を出射する発光素子、及び、前記発光素子の照射光の方向を変更させるための照射光方向変更部を有する発光部と、前記発光部を制御する発光制御部と、を備え、前記発光制御部は、前記発光素子の照射光が前記撮影領域内の特定種類の被写体に照射されるように前記照射光方向変更部を制御することを特徴とする。
【００１９】
これにより、特定種類の被写体に対する照明状態の適正化が期待される。
【００２０】
本発明に係る第４の撮像装置は、撮影により撮影領域の画像信号を取得する撮像装置において、前記撮影領域を照らすための照射光を出射する発光素子を有する発光部と、前記発光部を制御する発光制御部と、を備え、前記発光制御部は、前記画像信号に含まれる色信号に応じて、前記発光素子の照射光の色を制御することを特徴とする。
【００２１】
これにより、色バランスのとれた照明状態の実現が期待される。
【発明の効果】
【００２２】
本発明によれば、適切な照明状態の実現に寄与する撮像装置を提供することが可能である。
【図面の簡単な説明】
【００２３】
【図１】本発明の実施形態に係る撮像装置の概略全体ブロック図である。
【図２】図１の撮像部の内部構成図である。
【図３】図１の発光部に設けられる発光ユニットの内部ブロック図である。
【図４】ライトから出射されるスポット光と拡散光の照射範囲を示す図である。
【図５】ライトから出射される照射光の照射方向を説明するための図である。
【図６】本発明の第１実施例の発光制御に特に関与する部位のブロック図である。
【図７】本発明の第１実施例に係る撮像装置の上面図である。
【図８】本発明の第１実施例に係る発光制御の動作フローチャートである。
【図９】本発明の第１実施例に係る発光制御の概要を示す図である。
【図１０】本発明の第２実施例の発光制御に特に関与する部位のブロック図である。
【図１１】本発明の第２実施例に係る撮像装置の上面図である。
【図１２】本発明の第２実施例に係る発光制御の動作フローチャートである。
【図１３】本発明の第２実施例に係る発光制御の概要を示す図である。
【図１４】本発明の第３実施例の発光制御に特に関与する部位のブロック図である。
【図１５】本発明の第４及び第５実施例に係る撮像装置の上面図である。
【図１６】本発明の第４実施例に係る発光制御の概要を示す図である。
【図１７】人物の画像信号を含む撮影画像を示す図である。
【図１８】撮影画像が複数の小ブロックに分割される様子を示す図である。
【図１９】本発明の第６実施例に係る発光制御の概要を示す図である。
【図２０】本発明の第７実施例に係り、表示画面に表示されうるアイコンの例を示す図である。
【図２１】本発明の第７実施例に係る報知用表示を説明するための図である。
【図２２】本発明の第７実施例に係る報知用表示を説明するための図である。
【発明を実施するための形態】
【００２４】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、物理量、状態量又は部材等を参照する記号又は符号を記すことによって該記号又は符号に対応する情報、物理量、状態量又は部材等の名称を省略又は略記することがある。
【００２５】
図１は、本発明の実施形態に係る撮像装置１の概略全体ブロック図である。撮像装置１は、静止画像及び動画像を撮影及び記録可能なデジタルビデオカメラである。但し、撮像装置１は、静止画像のみを撮影及び記録可能なデジタルスチルカメラであっても良い。撮像装置１は、携帯電話機などの携帯端末に搭載されるものであっても良い。
【００２６】
撮像装置１は、撮像部１１と、ＡＦＥ（Analog Front End）１２と、主制御部１３と、内部メモリ１４と、表示画面（表示部）１５と、記録媒体１６と、操作部１７と、発光部１８と、を備えている。本明細書において、表示とは表示画面１５における表示を指す。
【００２７】
撮像装置１は、撮像部１１を用いた撮影によって撮影領域内の像を表す画像信号を取得する。撮影領域とは、撮像装置１の撮影領域（視野）を指す。図２は、撮像部１１の内部構成図である。撮像部１１は、ズームレンズ３０及びフォーカスレンズ３１を含む複数枚のレンズから成る光学系３５と、絞り３２と、ＣＣＤ（Charge Coupled Device）又はＣＭＯＳ（Complementary Metal Oxide Semiconductor）イメージセンサなどから成る撮像素子（固体撮像素子）３３と、光学系３５や絞り３２を駆動制御するためのドライバ３４と、を有している。撮像素子３３は、光学系３５及び絞り３２を介して入射した撮影領域内の被写体の光学像を光電変換し、該光電変換により得られた電気信号を出力する。ＡＦＥ１２は、撮像部１１の出力信号である撮像素子３３の出力信号のデジタル化及び増幅を行ってデジタル化及び増幅後の撮像素子３３の出力信号を出力する。レンズ３０及び３１の位置、絞り３２の開度並びにＡＦＥ１２における信号増幅の増幅度は、主制御部１３によって制御される。
【００２８】
主制御部１３は、ＡＦＥ１２の出力信号に対して必要な信号処理を施す。また、主制御部１３は、撮像装置１内の各部位の動作を統括的に制御する。内部メモリ１４は、ＳＤＲＡＭ（Synchronous Dynamic Random Access Memory）等にて形成され、撮像装置１内で生成された各種信号（データ）を一時的に記憶する。表示画面１５は、液晶ディスプレイパネル等から成り、主制御部１３による制御の下、撮影画像や記録媒体１６に記録されている画像などを表示する。記録媒体１６は、カード状半導体メモリや磁気ディスク等の不揮発性メモリであり、主制御部１３による制御の下、撮影画像等を記録する。撮影画像とは、撮像素子３３の出力信号に基づく、撮影領域の画像である。本明細書では、或る画像の画像信号（画像データ）のことを、単に画像とも言う。操作部１７は、ユーザからの各種操作を受け付ける。操作部１７に対するユーザの操作内容は、主制御部１３に伝達され、主制御部１３の制御の下、撮像装置１内の各部位は操作内容に応じた動作を行う。操作部１７にタッチパネルが含まれていても良い。
【００２９】
図３は、撮影領域（撮影領域内の被写体）を照らすためのライト４１を備えた発光ユニット４０の構成図である。発光部１８に、１以上の発光ユニット４０を設けておくことができる。発光可能な任意のライト（発光素子）をライト４１として用いることができるが、ここでは、ライト４１が、ＬＥＤ（Light Emitting Diode）から成るライトであるとする。図３に示す如く、発光ユニット４０は、ライト４１に加えて、ライト４１を発光させるための電流をライト４１に供給する発光回路４２と、レンズ４４を駆動するための駆動部４３と、撮影領域内の被写体とライト４１との間に配置されたレンズ４４と、を備える。撮影領域（撮影領域内の被写体）を照らすためにライト４１から出射される光を、照射光と呼ぶ。以下に示す被写体とは、特に記述なき限り、撮影領域内の被写体を指す。
【００３０】
ライト４１の照射光は、レンズ４４を介して撮影領域に出射される。但し、レンズ４４を割愛することも可能である。撮影領域に対する照射光の出射は、撮影領域内の各被写体に対する照射光の出射と同義である。主制御部１３に内在する発光制御部２０は、発光ユニット４０に対して発光制御（照射制御）を成すことができる。発光部１８に複数の発光ユニット４０が設けられている場合、発光制御部２０は、発光ユニット４０ごとに発光制御を成すことができる。
【００３１】
発光制御部２０による発光制御には、ライト４１の発光を行うか否かの制御の他、ライト４１の照射光の照射範囲に対する制御（以下、照射範囲制御とも言う）が含まれる。ライト４１は、撮影領域に対してスポット光又は拡散光を切り替えて出射することが可能であり、照射範囲制御に従って照射光をスポット光及び拡散光間で切り替える。図４（ａ）及び（ｂ）に示す如く、スポット光の照射範囲は拡散光の照射範囲よりも狭い。発光回路４２からライト４１への電流供給量が一定であるとき、スポット光の光束の方が拡散光のそれよりも大きい。スポット光は、第１照射範囲を有する狭範囲光の一種であり、拡散光は、第１照射範囲よりも広い第２照射範囲を有する広範囲光の一種である。ライト４１の照射光のスポット光及び拡散光間の切り替えは、公知の任意の方法（例えば、特開２００６−１１５１０７号公報）を用いて実現可能である。駆動部４３によるレンズ４４の駆動制御によって、その切り替えを実現しても良い。
【００３２】
更に、発光制御部２０による発光制御には、ライト４１の照射光の照射方向に対する制御（以下、照射方向制御とも言う）も含まれうる。照射光の照射方向は、撮像装置１（撮像装置１の中心又は重心）から見た、撮像装置１の光軸方向を基準とした照射光の照射方向（照射範囲の中心線の方向）を指す、と考えることができる（図５参照）。照射方向制御に従って駆動部４３がレンズ４４を駆動することで、ライト４１の照射光の照射方向を変更することができる。或いは、照射方向制御に従って駆動部４３がライト４１の筐体自体を回転駆動することで、該照射方向の変更を実現しても良い。照射方向制御は、照射光がスポット光のときに実行される。
【００３３】
更に、発光制御部２０による発光制御には、ライト４１の照射光の色に対する制御（以下、照射色制御とも言う）も含まれうる。ライト４１を、互いに異なる色を発光する複数のＬＥＤ（例えば、赤、緑及び青の三色ＬＥＤ、又は、赤、緑、青及び白の四色ＬＥＤ）にて形成しておき、発光回路４２がライト４１を形成する複数のＬＥＤに対して照射色制御に従った電流を供給することでライト４１の照射光の色を任意の色に設定することができる。
【００３４】
更に、発光制御部２０による発光制御には、ライト４１の照射光の強度に対する制御（以下、照射強度制御とも言う）も含まれうる。照射光の強度が増加するにつれて、照射光の光束、輝度、照度又は光度が増加する。発光回路４２が照射強度制御に従った電流をライト４１に供給することでライト４１の照射光の強度を任意に設定することができる。
【００３５】
以下、発光制御部２０の発光制御に関与する具体例として、第１〜第７実施例を説明する。矛盾なき限り、第１〜第７実施例の内、複数の実施例を組み合わせることができる。
【００３６】
＜＜第１実施例＞＞
第１実施例を説明する。第１実施例では、発光部１８に発光ユニット４０が２つ備えられていることを想定し、２つの発光ユニット４０を発光ユニット４０Ａ及び４０Ｂと呼ぶ。図６は、第１実施例の発光制御に特に関与する部位のブロック図である。図７は、第１実施例に係る撮像装置１の上面図である。ライト４１Ａ及び４１Ｂは、夫々、発光ユニット４０Ａ及び４０Ｂに設けられたライト４１である。ライト４１Ａ及び４１Ｂは、撮像装置１の筐体上の互いに異なる位置に配置されている。
【００３７】
明るさ評価部５１、人物検出部５２及び距離情報生成部５３を、主制御部１３に設けておくことができる。明るさ評価部５１及び人物検出部５２には画像信号が入力される。この画像信号は、ＡＦＥ１２の出力信号そのもの又はＡＦＥ１２の出力信号に対して所定の信号処理（ノイズ低減処理やデモザイキング処理等）を経て得られる信号であっても良い。
【００３８】
明るさ評価部５１は、画像信号に基づき、撮影領域内の被写体の明るさに応じた明るさ評価値（例えば、撮像部１１による撮影画像の輝度平均値）を算出する。明るさ評価部５１は、画像信号以外の情報（例えば測光センサの出力）に基づいて明るさ評価値を算出しても良い。
【００３９】
人物検出部５２は、画像信号に基づき人物検出処理を行う。人物検出処理は、撮影領域内に存在しうる人物を検出し、人物検出情報を出力する処理を指す。人物検出情報によって、撮影領域内における人物の有無、撮影領域内に存在する人物の人数、及び、撮影領域内における人物の存在方向が示される。人物は、被写体の一種であり、撮影領域内の被写体（被写体群）に含まれうる。照射光の照射方向と同様（図５参照）、人物の存在方向は、撮像装置１（撮像装置１の中心又は重心）から見た、撮像装置１の光軸方向を基準とした人物の存在方向を指す、と考えることができる。
【００４０】
距離情報生成部５３は、撮影領域内の各被写体の被写体距離を検出し、各被写体の被写体距離を表す距離情報を生成する。或る被写体の被写体距離とは、当該被写体と撮像装置１との間における実空間上の距離を指す。被写体距離の検出方法として、公知の方法を含む任意の方法を利用可能である。例えば、ステレオカメラ又は測距センサを用いて被写体距離を検出しても良いし、画像信号中のエッジ情報を利用した推定処理によって被写体距離を求めてもよい。
【００４１】
明るさ評価値、人物検出情報及び距離情報の生成は周期的に実行され、最新の明るさ評価値、人物検出情報及び距離情報が発光制御部２０に送られる。撮影領域内に人物が存在する場合、発光制御部２０は、人物検出情報と距離情報を組み合わせて利用することにより、撮像装置１を基準とした当該人物の存在位置を特定することができ、特定した存在位置の人物が何れかのライトのスポット光にて照らされるように照射方向制御を成すことができる。
【００４２】
発光制御部２０は、明るさ評価値、人物検出情報及び距離情報に基づき、発光ユニット４０Ａ及び４０Ｂに対する発光制御を行う。図８は、この発光制御の動作手順を示すフローチャートである。まず、ステップＳ１１において人物検出部５２により人物検出処理が行われ、続くステップＳ１２において人物検出情報に基づき発光制御部２０は撮影領域内に存在する人物の人数ＰＮＵＭをチェックする。
【００４３】
発光制御部２０の発光制御の下、発光ユニット４０Ａ及び４０Ｂは、ＰＮＵＭ＝０である場合にはステップＳ１４の発光を成し、ＰＮＵＭ＝１である場合にはステップＳ１５又はＳ１６の発光を成し、ＰＮＵＭ＝２である場合にはステップＳ１７の発光を成す。ＰＮＵＭ＝１である場合、ステップＳ１３において撮像装置１の撮影モードが人物優先撮影モードになっているか否かがチェックされ、撮像装置１の撮影モードが人物優先撮影モードになっているときには、ステップＳ１６の発光が成され、そうでないときには、ステップＳ１５の発光が成される。ユーザは、操作部１７に対する所定操作によって撮像装置１の撮影モードを人物優先撮影モード又はそれ以外のモードに選択設定することができる。
【００４４】
ステップＳ１４において、発光制御部２０は、明るさ評価値に基づき発光させるライトの個数ＮＵＭ１を決定し、ライト４１Ａ及び４１Ｂの内、個数ＮＵＭ１のライトだけ発光するように発光制御を成す。個数ＮＵＭ１は、０、１又は２の中から選択決定される。
【００４５】
ステップＳ１５において、図９（ａ）に示す如く、発光制御部２０は、ライト４１Ａ及び４１Ｂの内、一方のライトにスポット光を出射させ、他方のライトに拡散光を出射させる。図９（ａ）の例では、ライト４１Ａの照射光が拡散光とされ、ライト４１Ｂの照射光がスポット光とされている。この際、撮影領域内の人物３１１がライト４１Ｂのスポット光にて照らされるように、発光制御部２０は発光ユニット４０Ｂに対して照射方向制御を成す。尚、ライト４１Ａ及び４１Ｂの内、人物３１１により近い位置に配置されているライトにスポット光を出射させ、他方のライトに拡散光を出射させると良い。
【００４６】
ステップＳ１６において、図９（ｂ）に示す如く、発光制御部２０は、ライト４１Ａ及び４１Ｂの双方にスポット光を出射させる。この際、撮影領域内の人物３１２がライト４１Ａ及び４１Ｂの双方のスポット光にて照らされるように（望ましくは、ライト４１Ａ及び４１Ｂのスポット光が人物３１２の存在位置において交差するように）、発光制御部２０は発光ユニット４０Ａ及び４０Ｂに対して照射方向制御を成す。
【００４７】
ステップＳ１７においても、図９（ｃ）に示す如く、発光制御部２０は、ライト４１Ａ及び４１Ｂの双方にスポット光を出射させる。但し、ステップＳ１６と異なり、ステップＳ１７では、撮影領域内に２人の人物３１３及び３１４が存在しているため、ライト４１Ａ及び４１Ｂの内、一方のライトのスポット光にて人物３１３が照らされ且つ他方のライトのスポット光にて人物３１４が照らされるように、発光制御部２０は発光ユニット４０Ａ及び４０Ｂに対して照射方向制御を成す。この際、ライト４１Ａ及び４１Ｂの内、人物３１３により近い位置に配置されているライト（図９（ｃ）の例においてライト４１Ａ）に人物３１３へのスポット光を出射させ、人物３１４により近い位置に配置されているライト（図９（ｃ）の例においてライト４１Ｂ）に人物３１４へのスポット光を出射させると良い。
【００４８】
上述のステップＳ１１から始まってステップＳ１４〜Ｓ１７の何れかにて完了する処理を、例えば、操作部１７に対するシャッタ操作に連動して実行することができる。即ち、操作部１７にシャッタ操作が成されると、ステップＳ１１の処理を実行し、その後、ステップＳ１４〜Ｓ１７の何れかによる、撮影領域への照射（ライト４１Ａ及び４１Ｂによる照射）が成されている状態において、撮像部１１にて静止画像の画像信号を取得させ、得られた静止画像の画像信号を記録媒体１６に記録することができる。シャッタ操作とは、ユーザが操作部１７に対して成す、静止画像の撮影及び記録を指示するための操作である。或いは、上述のステップＳ１１から始まってステップＳ１４〜Ｓ１７の何れかにて完了する処理を、撮像部１１を用いた動画像の撮影中に、繰り返し実行することができる（該動画像は、記録媒体１６に記録されうる）。
【００４９】
＜＜第２実施例＞＞
第２実施例を説明する。第２実施例では、発光部１８に発光ユニット４０が３つ備えられていることを想定し、３つの発光ユニット４０を発光ユニット４０Ａ、４０Ｂ及び４０Ｃと呼ぶ。図１０は、第２実施例の発光制御に特に関与する部位のブロック図である。図１１は、第２実施例に係る撮像装置１の上面図である。ライト４１Ａ、４１Ｂ及び４１Ｃは、夫々、発光ユニット４０Ａ、４０Ｂ及び４０Ｃに設けられたライト４１である。ライト４１Ａ、４１Ｂ及び４１Ｃは、撮像装置１の筐体上の互いに異なる位置に配置される。
【００５０】
発光制御部２０は、明るさ評価値、人物検出情報及び距離情報に基づき、発光ユニット４０Ａ、４０Ｂ及び４０Ｃに対する発光制御を行う。この発光制御の方法に、第１実施例で述べた方法を適用することができる。図１２は、この発光制御の動作手順を示すフローチャートである。まず、ステップＳ２１において人物検出部５２により人物検出処理が行われ、続くステップＳ２２において人物検出情報に基づき発光制御部２０は撮影領域内に存在する人物の人数ＰＮＵＭをチェックし、人数ＰＮＵＭに応じた発光制御を成す。以下、ステップＳ２２の発光制御の具体例を説明する。
【００５１】
ＰＮＵＭ＝０である場合、発光制御部２０は、明るさ評価値に基づき発光させるライトの個数ＮＵＭ２を決定し、ライト４１Ａ〜４１Ｃの内、個数ＮＵＭ２のライトだけ発光するように発光制御を成す。個数ＮＵＭ２は、０、１、２又は３の中から選択決定される。
【００５２】
ＰＮＵＭ＝１である場合、図１３（ａ）に示す如く、発光制御部２０は、ライト４１Ａ〜４１Ｃの内の１つを対象ライトに設定して対象ライトにスポット光を出射させ、他の２つのライトに拡散光を出射させる。図１３（ａ）の例では、ライト４１Ｂが対象ライトに設定されている。この際、撮影領域内の人物３２１がライト４１Ｂのスポット光にて照らされるように、発光制御部２０は発光ユニット４０Ｂに対して照射方向制御が成す。人物３２１に対し、最も近くに位置しているライトが対象ライトに設定される。
【００５３】
ＰＮＵＭ＝１である場合において、撮像装置１の撮影モードが人物優先撮影モードに設定されているとき、図１３（ｂ）に示す如く、発光制御部２０は、ライト４１Ａ〜４１Ｃの内の２つを対象ライトに設定して各対象ライトにスポット光を出射させ、残りの１つのライトに拡散光を出射させても良い。図１３（ｂ）の例では、ライト４１Ａ及び４１Ｂが第１及び第２の対象ライトに設定されている。この際、撮影領域内の人物３２２がライト４１Ａ及び４１Ｂの双方のスポット光にて照らされるように（望ましくは、ライト４１Ａ及び４１Ｂのスポット光が人物３２２の存在位置において交差するように）、発光制御部２０は発光ユニット４０Ａ及び４０Ｂに対して照射方向制御を成すと良い。
【００５４】
ＰＮＵＭ＝２である場合、図１３（ｃ）に示す如く、発光制御部２０は、ライト４１Ａ〜４１Ｃの内の２つを対象ライトに設定して各対象ライトにスポット光を出射させ、残りの１つのライトに拡散光を出射させる。図１３（ｃ）の例では、撮影領域内に人物３２３及び３２４が存在している。発光制御部２０は、ライト４１Ａ〜４１Ｃの内、人物３２３の最も近くに位置しているライトを第１の対象ライト（図１３（ｃ）の例においてライト４１Ａ）に設定すると共に人物３２４の最も近くに位置しているライトを第２の対象ライト（図１３（ｃ）の例においてライト４１Ｂ）に設定し、人物３２３及び３２４が夫々第１及び第２の対象ライトのスポット光で照らされるように照射方向制御を成す。
【００５５】
ＰＮＵＭ＝３である場合、図１３（ｄ）に示す如く、発光制御部２０は、ライト４１Ａ〜４１Ｃの夫々にスポット光を出射させ、１人の人物に１つのスポット光を割り当てる。図１３（ｄ）の例では、撮影領域内に人物３２５〜３２７が存在しており、発光制御部２０は、人物３２５、３２６、３２７に、夫々、ライト４１Ａ、４１Ｂ、４１Ｃを割り当てて、ライト４１Ａ、４１Ｂ、４１Ｃのスポット光にて、夫々、人物３２５、３２６、３２７が照らされるように照射方向制御を成す。
【００５６】
上述のステップＳ２１及びＳ２２の処理を、例えば、操作部１７に対するシャッタ操作に連動して実行することができる。即ち、操作部１７にシャッタ操作が成されると、ステップＳ２１及びＳ２２の処理を実行し、ステップＳ２２による撮影領域への照射（ライト４１Ａ、４１Ｂ及び４１Ｃによる照射）が成されている状態において、撮像部１１にて静止画像の画像信号を取得させ、得られた静止画像の画像信号を記録媒体１６に記録することができる。或いは、上述のステップＳ２１及びＳ２２の処理を、撮像部１１を用いた動画像の撮影中に、繰り返し実行することができる（該動画像は、記録媒体１６に記録されうる）。
【００５７】
第１及び第２実施例では、以下のような動作が行われる（同様の動作が後述の他の実施例でも行われうる）。
即ち、発光制御部２０は、撮影領域内の被写体に応じて、ライトごとにライトの照射光をスポット光及び拡散光間で切り替える発光制御を成す。より具体的には、発光制御部２０は、撮影領域内に人物が存在しているか否かに応じて（換言すれば、撮影領域内の被写体の中に人物が含まれているか否かに応じて）、又は、撮影領域内に存在している人物の人数に応じて（換言すれば、被写体に含まれる人物の数に応じて）、ライトごとにライトの照射光をスポット光及び拡散光間で切り替える。
この際、１つのライトの照射光を、他のライトの照射光を何ら考慮することなく独立に制御するのではなく、発光制御部２０は、被写体に応じて、複数のライトの照射光の組み合わせ（複数のライトの内、何れのライトの照射光をスポット光にし、何れのライトの照射光を拡散光にするかという組み合わせ）を制御する。
また、上述の如く、発光部１８に、各ライトの照射光の照射方向を変更させるための照射方向変更部を設けておくと良い（後述の他の実施例でも同様）。発光制御部２０による照射方向制御の下、駆動部４３がレンズ４４を駆動することでライト４１の照射光の照射方向が変更される場合、レンズ４４及び駆動部４３を含む部位が照射方向変更部として機能する。そして、発光制御部２０は、撮影領域内に人物が存在している場合（換言すれば、被写体の中に人物が含まれている場合）、複数のライトの内の１以上のライトのスポット光が当該人物に照射されるように照射方向変更部を制御する。
【００５８】
第１又は第２実施例によれば、様々な撮影状況に応じた最適な照明状態を実現することができ、常に最適な画像をユーザに提供することが可能となる。
【００５９】
尚、第１又は第２実施例では、発光部１８に設けられるライトの個数が２又は３であることを想定したが、その個数が４以上である場合にも、第１又は第２実施例にて述べた方法に準じた方法にて発光制御を成すことができる。
【００６０】
＜＜第３実施例＞＞
第３実施例を説明する。第３実施例の技術を、第１又は第２実施例と組み合わせて実施することができる。ここでは、説明の具体化のため、発光部１８に設けられたライトの個数が２であることを想定した第１実施例との組み合わせにおいて、第３実施例を説明する。図１４は、第３実施例の発光制御に特に関与する部位のブロック図である。図６の構成に対して色評価部５４を追加することで図１４の構成が得られる。色評価部５４を、図１の主制御部１３に設けておくことができる。
【００６１】
色評価部５４には、ＡＦＥ１２の出力信号に基づく画像信号が入力される。色評価部５４は、入力された画像信号からＲ信号、Ｇ信号及びＢ信号を抽出する。Ｒ信号、Ｇ信号及びＢ信号は、夫々、撮影部１１による撮影画像の各画素の、赤の信号強度、緑の信号強度及び青の信号強度を信号値として有する色信号である。色評価部５４は、１枚の撮影画像全体におけるＲ信号の平均値、Ｇ信号の平均値及びＢ信号の平均値を、夫々、評価値ＥＶＲ、ＥＶＧ及びＥＶＢとして求め、評価値ＥＶＲ、ＥＶＧ及びＥＶＢから成る色評価値を発光制御部２０に出力する。
【００６２】
発光制御部２０は、第１実施例と同様、明るさ評価値、人物検出情報及び距離情報に基づいて発光ユニット４０Ａ及び４０Ｂに対する発光制御を行うが、この際、色評価値に応じた照射色制御及び照射強度制御により、ライト４１Ａ及び４１Ｂの照射光の色及び強度を制御することができる。
【００６３】
まず、ＰＮＵＭ＝０である時に実行されるステップＳ１４において（図８参照）、発光制御部２０が成すことのできる発光制御を説明する。例えば、ステップＳ１４において、発光制御部２０は、評価値ＥＶＲ、ＥＶＧ及びＥＶＢに基づいて低レベル色の存否を判断し、１つの低レベル色が存在する場合には、ライト４１Ａ及び４１Ｂの内の少なくとも一方を色強化ライトに設定して、上述の照射色制御を用い、色強化ライトの照射色が低レベル色になるように色強化ライトに拡散光を出射させる。照射色とは、照射光の色を指す。
【００６４】
低レベル色とは、他の色と比べて極端に信号レベルが低い色を指す。例えば、“ＥＶＲ／（ＥＶＲ＋ＥＶＧ＋ＥＶＢ）≦ＴＨ１”の成立時には、赤が低レベル色であると判断され、“ＥＶＧ／（ＥＶＲ＋ＥＶＧ＋ＥＶＢ）≦ＴＨ１”の成立時には、緑が低レベル色であると判断され、“ＥＶＢ／（ＥＶＲ＋ＥＶＧ＋ＥＶＢ）≦ＴＨ１”の成立時には、青が低レベル色であると判断される。ＴＨ１は、所定の正の閾値である。
【００６５】
ステップＳ１４において、互いに異なる第１及び第２の低レベル色が存在する場合、発光制御部２０は、ライト４１Ａ及び４１Ｂを第１及び第２の色強化ライトに設定し、上述の照射色制御を用いて、第１及び第２の色強化ライトの照射色が第１及び第２の低レベル色になるように第１及び第２の色強化ライトに拡散光を出射させる。或いは、ステップＳ１４において、第１及び第２の低レベル色が存在する場合、発光制御部２０は、ライト４１Ａ及び４１Ｂの内の一方のみを色強化ライトに設定し、１つの色強化ライトの照射光の色が第１及び第２の低レベル色を混ぜた色になるように色強化ライトに拡散光を出射させても良い（これは、撮像装置１にライト４１が１つしか設けられていない場合にも適用可能である）。尚、撮像装置１を水中にて用いる場合、Ｒ信号及びＧ信号のレベルが極端に小さくなることが多い。このため、発光制御部２０において、画像信号又は専用センサ等を用いて撮像装置１が水中に存在しているのか否かを判定し、撮像装置１が水中に存在していると判定した場合に、赤及び緑を低レベル色に設定するようにしても良い。
【００６６】
ＰＮＵＭ＝０であって且つ低レベル色が存在しない場合には、色強化ライトは設定されず、この場合にライト４１Ａが拡散光を出射する場合には、ライト４１Ａの拡散光の色は基準色に設定される。ライト４１Ｂについても同様である。基準色は、赤、緑及び青の混合色であって低レベル色とは異なり、例えば白色（又は無色）に分類される。
【００６７】
次に、ＰＮＵＭ＝１である時に実行されるステップＳ１５において（図８参照）、発光制御部２０が成すことのできる発光制御を説明する。ステップＳ１５において、例えば、図９（ａ）の例の如く、ライト４１Ａの照射光が拡散光であり、ライト４１Ｂの照射光がスポット光である場合を考える。この場合、ステップＳ１５において、発光制御部２０は、評価値ＥＶＲ、ＥＶＧ及びＥＶＢに基づいて低レベル色の存否を判断し、低レベル色が存在する場合には、ライト４１Ａを色強化ライトに設定して上述の照射色制御を用い、色強化ライトの照射色が低レベル色になるように色強化ライトに拡散光を出射させる。尚、このような発光制御は、人物３１１（図９（ａ））が撮影領域の中央付近に位置する場合にのみ実行されても良い。
【００６８】
発光制御部２０は、人物に照射されるスポット光の色を基準色に設定することができる。これは、ステップＳ１６及びＳ１７にも適用することができる。即ち、ステップＳ１５、Ｓ１６又はＳ１７において、ライト４１Ａ又は４１Ｂが人物に向けてスポット光を出射する場合、発光制御部２０は、そのスポット光の色が基準色となるように照射色制御を成すことができる。
【００６９】
また、発光制御部２０は、照射強度制御を用いて、色強化ライトの照射光の強度を、評価値ＥＶＲ、ＥＶＧ及びＥＶＢに基づき制御することもできる。例えば、色強化ライトがライト４１Ａであって且つライト４１Ａが出射すべき低レベル色が赤である場合、評価値ＥＶＲに基づき、又は、値“ＥＶＲ／（ＥＶＲ＋ＥＶＧ＋ＥＶＢ）”に基づき、発光制御部２０は、ライト４１Ａの照射光の強度を可変設定しても良い。更に、発光制御部２０は、照射強度制御を用いて、スポット光を照射すべきライト４１Ａ又は４１Ｂの照射光の強度も、評価値ＥＶＲ、ＥＶＧ及びＥＶＢに基づき制御しても良い。
【００７０】
第３実施例によれば、信号レベルの低い色を照射光にて補うことができ、色バランスのとれた照明状態を実現することができる。
【００７１】
＜＜第４実施例＞＞
第４実施例を説明する。第４実施例及び後述の第５実施例では、発光部１８に発光ユニット４０が１つだけ備えられていることを想定する。発光部１８に１つだけ備えられた発光ユニット４０を発光ユニット４０Ａと呼ぶ。そうすると、第４及び第５実施例の発光制御に特に関与する部位のブロック図は、図６又は図１４のブロック図から発光ユニット４０Ｂを削除したものに相当する。図１５は、第４及び第５実施例に係る撮像装置１の上面図である。ライト４１Ａは、発光ユニット４０Ａに設けられたライト４１である。
【００７２】
第４実施例において、発光制御部２０は、人物検出処理に基づく人物検出情報に基づき、撮影領域内に人物が存在するか否かをチェックし、人物が存在していない場合には、図１６（ａ）に示す如く、発光制御によってライト４１Ａに拡散光を出射させる。
【００７３】
一方、撮影領域内に人物が存在している場合、発光制御部２０は、その人物が撮影領域の中央部分に位置しているのか或いは撮影領域の周辺部分に位置しているのかを、人物検出情報に基づいて判定する。そして、発光制御部２０は、人物が撮影領域の中央部分に位置していると判断した場合には、図１６（ｂ）に示す如く、発光制御によってライト４１Ａにスポット光を出射させ、人物が撮影領域の周辺部分に位置していると判断した場合には、図１６（ｃ）に示す如く、発光制御によってライト４１Ａに拡散光を出射させる。撮影領域の中央部分及び撮影領域の周辺部分を、夫々、第１部分領域及び第２部分領域と呼ぶこともできる。第１及び第２部分領域の合成領域が、撮影領域の全体領域に相当する。
【００７４】
人物検出情報は、撮影画像上における人物の位置をも特定する。図１７の画像３５０は、人物検出処理に利用される画像信号に基づく撮影画像である。図１７において、人物３５２は、撮影領域内の人物に相当する、撮影画像３５０上の人物である。撮影画像３５０の全体画像領域の内、中央部分に配置された所定の画像領域３５１内に、人物３５２の画像信号が存在する場合、人物３５２は撮影領域の中央部分に位置していると判断され、撮影画像３５０の全体画像領域の内ではあるが画像領域３５１外に人物３５２の画像信号が存在する場合、人物３５２は撮影領域の周辺部分に位置していると判断される。
【００７５】
或いは、発光制御部２０は、撮影領域内に人物が存在している場合、撮影領域内における人物の位置に関係なく、発光制御によってライト４１Ａにスポット光を出射させても良い。但し、この場合には、図１６（ｄ）に示す如く、撮影領域内の人物がライト４１Ａのスポット光にて照らされるように、発光制御部２０は発光ユニット４０Ａに対して照射方向制御を成すと良い。
【００７６】
第４実施例の発光制御を、例えば、操作部１７に対するシャッタ操作に連動して実行することができ、ライト４１Ａに拡散光又はスポット光を出射させている状態において撮像部１１にて静止画像の画像信号を取得させ、得られた静止画像の画像信号を記録媒体１６に記録することができる。或いは、第４実施例の発光制御を、撮像部１１を用いた動画像の撮影中に実行することもできる（該動画像は、記録媒体１６に記録されうる）。
【００７７】
上述の如く、第４実施例において、発光制御部２０は、撮影領域内に人物が存在しているか否かに応じて（換言すれば、撮影領域内の被写体の中に人物が含まれているか否かに応じて）、又は、撮影領域内に存在している人物の位置に応じて（換言すれば、人物が撮影領域の第１部分領域に存在しているのか或いは第２部分領域に存在しているのかに応じて）、ライト４１Ａの照射光をスポット光及び拡散光間で切り替える。ライト４１Ａにスポット光を出射させる場合には、スポット光が人物に照射されるように照射方向制御を成すこともできる。
【００７８】
これにより、注目被写体とも言うべき人物の存否又は位置に応じて最適な照明状態を実現することができる。
【００７９】
＜＜第５実施例＞＞
第５実施例を説明する。上述したように、第５実施例においても、発光部１８に発光ユニット４０が１つだけ備えられていることを想定し、発光部１８に１つだけ備えられた発光ユニット４０を発光ユニット４０Ａと呼ぶ。また、第５実施例では、撮影領域が全体的に暗いことに起因して、ライト４１Ａによる照明無しでは人物検出処理を正しく実行しがたい撮影環境を想定する。
【００８０】
発光制御部２０は、例えば、明るさ評価値が所定の下限値以下であるとき、ライト４１Ａに拡散光を出射させ、撮影領域をライト４１Ａの拡散光で照らしている状態で成された人物検出処理の人物検出情報を取得する。ここでライト４１Ａから出射される拡散光の強度は、照度強度制御の下、通常の強度（例えば、明るさ評価値が所定の下限値よりも大きい場合にライト４１Ａから出射されうる拡散光の強度）よりも高められる。取得された人物検出情報が、撮影領域内に人物が存在していることを示している場合、発光制御部２０は、人物検出情報及び距離情報を用いて撮像装置１を基準とした当該人物の存在位置を特定し、ライト４１の照射光を拡散光からスポット光に切り替えた上で、特定した存在位置の人物がライト４１Ａのスポット光にて照らされるように照射方向制御を成す（即ち、上述の照射方向変更部を制御する）。上記人物がライト４１Ａのスポット光にて照らされる状態において、撮像部１１にて静止画像の画像信号を取得させ、得られた静止画像の画像信号を記録媒体１６に記録することができる。
【００８１】
撮像部１１にて動画像を撮影している場合には、撮影領域内の人物の動きに応じてライト４１Ａのスポット光の照射範囲を該人物に追尾させてもよい。即ち、発光制御部２０は、動画像の画像信号に基づく人物検出情報（及び距離情報）を用いて撮影領域内の人物の位置を監視し、動画像の撮影中において、その人物が常にライト４１Ａのスポット光で照らされるように（その人物がライト４１Ａのスポット光の照射範囲内に常に収まるように）照射方向制御を成しても良い。得られた動画像の画像信号は記録媒体１６に記録されうる。
【００８２】
スポット光を用いた上述の照射方向制御により、注目被写体とも言うべき人物を明るく照らすことができる。また、事前に拡散光を用いて人物検出処理を行うことにより、暗所においても確実に人物の存在位置を検知することができる。
【００８３】
＜＜第６実施例＞＞
第６実施例を説明する。第６実施例の発光制御に特に関与する部位のブロック図は、第３実施例のそれ（即ち図１４）と同じである。
【００８４】
第３実施例で述べた発光制御を、第１及び第２実施例の技術と組み合わせることなく、独立して実施することができる。即ち例えば、第３実施例で述べた、ステップＳ１４（図８参照）において実行することのできる発光制御を、発光制御部２０は、人物検出情報の如何に関わらず実行することができる（この場合、撮像装置１から人物検出部５２を割愛することが可能である）。この際、発光制御部２０は、第３実施例で述べた照射強度制御を更に成してもよい。
【００８５】
また、図１４の色評価部５４は、図１８に示す如く、撮影画像の全体画像領域を複数の小ブロックに分割し、小ブロックごとに色評価値を求めても良い。１つの小ブロックについての色評価値は、当該小ブロックにおけるＲ信号の平均値、Ｇ信号の平均値及びＢ信号の平均値を、小ブロック評価値ＢＬＲ、ＢＬＧ及びＢＬＢとして有する。小ブロック評価値と区別すべく、ＥＶＲ、ＥＶＧ及びＥＶＢにて参照される第３実施例で述べた評価値（図１４参照）を、特に全体評価値とも呼ぶ。全体評価値ＥＶＲ、ＥＶＧ、ＥＶＢは、夫々、撮影画像内の全小ブロックについての小ブロック評価値ＢＬＲの平均値、撮影画像内の全小ブロックについての小ブロック評価値ＢＬＧの平均値、撮影画像内の全小ブロックについての小ブロック評価値ＢＬＢの平均値に相当する。
【００８６】
発光制御部２０は、全体評価値ＥＶＲ、ＥＶＧ及びＥＶＢ、並びに、各小ブロックについての小ブロック評価値ＢＬＲ、ＢＬＧ及びＢＬＢに基づいて、発光制御を成すことができる。具体的には例えば、発光制御部２０は、全体評価値ＥＶＲ、ＥＶＧ及びＥＶＢに基づき、第３実施例で述べた方法に従って撮影画像全体における低レベル色の存否を判断する。第３実施例で述べた方法に従って判断される低レベル色を、ここでは全体低レベル色と呼ぶ。
【００８７】
一方で、発光制御部２０は、各小ブロックについての小ブロック評価値ＢＬＲ、ＢＬＧ及びＢＬＢに基づき対象ブロックの存否を判断する。対象ブロックとは、極端に信号レベルが色を有する小ブロックである。例えば、或る注目した小ブロックの評価値ＢＬＲ、ＢＬＧ及びＢＬＢについて、第１不等式“ＢＬＲ／（ＢＬＲ＋ＢＬＧ＋ＢＬＢ）≦ＴＨ２”、第２不等式“ＢＬＧ／（ＢＬＲ＋ＢＬＧ＋ＢＬＢ）≦ＴＨ２”又は第３不等式“ＢＬＢ／（ＢＬＲ＋ＢＬＧ＋ＢＬＢ）≦ＴＨ２”が成立する場合、当該注目した小ブロックは対象ブロックに設定され、対象ブロックについての低レベル色は、第１不等式の成立時には赤であり、第２不等式の成立時には緑であり、第３不等式の成立時には青である。ＴＨ２は、所定の正の閾値である。対象ブロックについての低レベル色を局所低レベル色と呼ぶ。
【００８８】
そして例えば、特定色ＣＡが全体低レベル色であって、且つ、或る小ブロックが対象ブロックに設定されて該対象ブロックの局所低レベル色が特定色ＣＢである場合（特定色ＣＡ及びＣＢは互いに異なる）、図１９（ａ）に示す如く、発光制御部２０は、ライト４１Ａ及び４１Ｂを第１及び第２の色強化ライトに設定し、発光制御を用いて、第１の色強化ライトの照射色が特定色ＣＡ（全体低レベル色）になるように第１の色強化ライトに拡散光を出射させると共に第２の色強化ライトの照射色が特定色ＣＢ（局所低レベル色）になるように第２の色強化ライトにスポット光を出射させる。この際、第２の色強化ライトからのスポット光が対象ブロックに対応する部分（撮影領域の一部分）に照射されるように、照射方向制御が成される。ライト４１Ａ及び４１Ｂと第１及び第２の色強化ライトとの関係は逆にも成りうる。
【００８９】
また例えば、互いに分離した２つの小ブロックが第１及び第２の対象ブロックに設定されて、第１及び第２の対象ブロックの局所低レベル色がそれぞれ特定色ＣＡ’及びＣＢ’である場合（特定色ＣＡ’及びＣＢ’は互いに異なりうる）、図１９（ｂ）に示す如く、発光制御部２０は、ライト４１Ａ及び４１Ｂを第１及び第２の色強化ライトに設定し、発光制御を用いて、第１の色強化ライトの照射色が特定色ＣＡ’になるように第１の色強化ライトにスポット光を出射させると共に第２の色強化ライトの照射色が特定色ＣＢ’になるように第２の色強化ライトにスポット光を出射させる。この際、第１及び第２の色強化ライトからのスポット光が、それぞれ、第１及び第２の対象ブロックに対応する部分（撮影領域の一部分）に照射されるように、照射方向制御が成される。ライト４１Ａ及び４１Ｂと第１及び第２の色強化ライトとの関係は逆にも成りうる。
【００９０】
また、発光制御部２０は、拡散光を照射する色強化ライトの照射光の強度を、第３実施例で述べたように、評価値ＥＶＲ、ＥＶＧ及びＥＶＢに基づき制御することもできる。同様にして、発光制御部２０は、スポット光を照射する色強化ライトの照射光の強度を、対象ブロックの評価値ＢＬＲ、ＢＬＧ及びＢＬＢに基づき制御することもできる。
【００９１】
第６実施例によれば、信号レベルの低い色を照射光にて補うことができ、色バランスのとれた照明状態を実現することができる。
【００９２】
＜＜第７実施例＞＞
第７実施例を説明する。主制御部１３に内在する表示制御部（不図示）は、ライト４１の照射光がスポット光及び拡散光のどちらであるのかを、ユーザに知らしめるための表示を表示画面１５に表示させる。例えば、ライト４１の照射光がスポット光であるとき、図２０（ａ）のアイコンを表示画面１５に表示させ、ライト４１の照射光が拡散光であるとき、図２０（ｂ）のアイコンを表示画面１５に表示させる。
【００９３】
撮像装置１にライト４１が複数個設けられている場合には、上述の表示をライト４１ごとに成すことができる。或いは、撮像装置１にライト４１が複数個設けられている場合、複数のライト４１の照射光が全てスポット光の場合に、図２０（ａ）のアイコンを表示させ、複数のライト４１の照射光が全て拡散光の場合に、図２０（ｂ）のアイコンを表示させ、複数のライト４１の照射光にスポット光と拡散光が混在している場合に、図２０（ｃ）のアイコンを表示させも良い。図２０（ａ）〜（ｃ）のアイコンは互いに異なるアイコンである。これらの表示により、照射光の状態をユーザに確実に知らしめることができる。
【００９４】
また、表示制御部は、１以上のライト４１の照射光がスポット光及び拡散光間で切り替わったとき、その切り替わりの発生をユーザに知らしめる報知を成すと良い。報知は、人間の感覚（視覚、聴覚、触覚等）に訴えるものであるならば何でもよい。典型的には、表示画面１５における表示を用いて上記報知を実現すると良い。例えば、上記切り替わりが発生した場合、一定時間、その切り替わりの発生を指し示す表示を行う。切り替わりの発生を指し示す表示は、図２１に示す如く、表示画面１５の外枠部分の点滅表示であっても良いし、図２２に示す如く、図２０（ａ）、図２０（ｂ）又は図２０（ｃ）のアイコンの点滅表示でも良い。尚、図２１及び図２２において、斜線部分は表示画面１５の筐体部分を表している。
【００９５】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。上述の実施形態に適用可能な注釈事項として、以下に、注釈１及び注釈２を記す。各注釈に記載した内容は、矛盾なき限り、任意に組み合わせることが可能である。
【００９６】
［注釈１］
発光制御部２０は、撮影領域内における特定種類の被写体の存否、数、位置などに応じて、様々な発光制御を成すことができる。上述の各実施例では、特定種類の被写体が任意の人物であることを想定したが、特定種類の被写体は、人物以外の被写体（例えば、犬、猫、車、ロボット）であっても良いし、或いは、特定の人物（例えば、子供、予め定められた登録人物）であっても良い。
【００９７】
［注釈２］
図１の撮像装置１を、ハードウェア、或いは、ハードウェアとソフトウェアの組み合わせによって構成することができる。ソフトウェアを用いて撮像装置１を構成する場合、ソフトウェアにて実現される部位についてのブロック図は、その部位の機能ブロック図を表すことになる。ソフトウェアを用いて実現される機能をプログラムとして記述し、該プログラムをプログラム実行装置（例えばコンピュータ）上で実行することによって、その機能を実現するようにしてもよい。
【符号の説明】
【００９８】
１  撮像装置
１１  撮像部
１８  発光部
２０  発光制御部
４０、４０Ａ、４０Ｂ、４０Ｃ  発光ユニット
４１、４１Ａ、４１Ｂ、４１Ｃ  ライト
【図１】
2012247527.tif 000003
【図２】
2012247527.tif 000004
【図３】
2012247527.tif 000005
【図４】
2012247527.tif 000006
【図５】
2012247527.tif 000007
【図６】
2012247527.tif 000008
【図７】
2012247527.tif 000009
【図８】
2012247527.tif 000010
【図９】
2012247527.tif 000011
【図１０】
2012247527.tif 000012
【図１１】
2012247527.tif 000013
【図１２】
2012247527.tif 000014
【図１３】
2012247527.tif 000015
【図１４】
2012247527.tif 000016
【図１５】
2012247527.tif 000017
【図１６】
2012247527.tif 000018
【図１７】
2012247527.tif 000019
【図１８】
2012247527.tif 000020
【図１９】
2012247527.tif 000021
【図２０】
2012247527.tif 000022
【図２１】
2012247527.tif 000023
【図２２】
2012247527.tif 000024